(57)【要約】【課題】支持強度や安定性に優れ、良好な踏感覚が得られる緑化体を提供する。【解決手段】植物を栽培可能な植栽部が貯水部上に設けられ、敷設面に敷設して緑化エリアを形成可能な緑化体であって、植栽部へ負荷される外力を直接受ける箇所から貯水部の底面若しくは敷設面まで略一連で設けられる柱状部材を有し、植栽部へ負荷される外力を前記柱状部材を介して敷設面で受けることを特徴とする。前記略一連で設けられる柱状部材は、例えば植栽部の底面から上方へ設けられる第１柱状部材と、植栽部の底面から下方へ設けられる第２柱状部材により構成する。【選択図】  図１
2004261016.tif 000002
【特許請求の範囲】
【請求項１】
植物を栽培可能な植栽部が貯水部上に設けられ、敷設面に敷設して緑化エリアを形成可能な緑化体において、該植栽部へ負荷される外力を直接受ける箇所から該貯水部の底面若しくは該敷設面まで略一連で設けられる柱状部材を有し、該外力を該柱状部材を介して該敷設面で受けることを特徴とする緑化体。
【請求項２】
前記略一連の柱状部材を、前記植栽部の底面から上方へ設けられる第１柱状部材と、該植栽部の底面から下方へ設けられる第２柱状部材により構成することを特徴とする請求項１記載の緑化体。
【請求項３】
前記貯水部の底面近傍と前記第２柱状部材の下端近傍を係止する係止構造を設けることを特徴とする請求項２記載の緑化体。
【請求項４】
前記略一連の柱状部材を、前記貯水部の底面から前記外力を直接受ける箇所まで上方へ立設して構成することを特徴とする請求項１記載の緑化体。
【請求項５】
前記略一連の柱状部材を、前記植栽部の底面から上方へ立設する第１柱状部材と、前記貯水部の底面から上方へ立設する第２柱状部材により構成することを特徴とする請求項１記載の緑化体。
【請求項６】
前記植栽部の底面近傍と前記第２柱状部材の上端近傍を係止する係止構造を設けることを特徴とする請求項５記載の緑化体。
【請求項７】
前記略一連の柱状部材若しくは前記第１柱状部材若しくは前記第２柱状部材が中空部を有しないことを特徴とする請求項１、２、３、４、５又は６記載の緑化体。
【発明の詳細な説明】
【０００１】
【発明の属する技術分野】
本発明は、水分を貯水する貯水部上に植物を栽培可能な植栽部が設けられ、敷設面に敷設して緑化エリアを形成可能な緑化体に係り、主として植栽部へ負荷される外力を支持する緑化体に関する。
【０００２】
【従来の技術】
従来、植栽部へ負荷される外力を支持する構成に関連する技術に、特許文献１の人工地盤がある。前記人工地盤は、コンクリート層の表面に防湿性シートを敷設し、その上面にパレットを並べて敷設すると共に、パレットの上面から複数のピンを上方に向けて突設し、前記複数のピンをパレット上を歩く人の靴の下面を受けることができる間隔で設け、パレット上に略ピンの高さまで土を敷設してなるものである。
【０００３】
別の関連技術として特許文献２には、人工地盤上に敷設される植栽用マットであって、上部が開口するように凹設され、底部近傍に通水口を穿設されたセル内に、前記セルの側壁の上端部を越えない高さの柱状部材が立設されている植栽用マットが開示されている。
【０００４】
別の関連技術として特許文献３には、上板にパイプ支柱を千鳥配置で溶接して設けると共にパイプ支柱の間に穴を設け、上板の四辺に囲い板を上方に向けてパイプ支柱と略同一高さで設け、上板の下部に上板を支える格子状に組まれた基板を設ける芝草の根保護器が開示されている。
【０００５】
また、土等を充填して植物を栽培する植栽部の下方に水分を貯水する貯水部を設ける構成に関連する技術に、特許文献４の植木鉢がある。前記植木鉢は、貯水可能な貯水鉢部材と、貯水鉢部材の上に設置され、植木が植栽される植栽鉢部材と、貯水鉢部材に貯められた水を植栽鉢部材内に供給する布による水供給手段と、植木鉢部材と貯水鉢部材の少なくとも一方に植木鉢部材の底部分を支持する支持部材を備えるものである。
【０００６】
別の関連技術として特許文献５には、受皿本体の凹部に植木鉢の底面を支持する突出部を形成し、前記突出部を針状の突起を多数突設したものとした植木鉢受皿が開示されている。
【０００７】
また、植物を植栽する植栽部の下方に貯水部を設け、植栽部へ負荷される外力を支持する構成に関連する技術に、特許文献６の植物栽培コンテナがある。前記植物栽培コンテナは、底板と外周壁を有し、上面が開口するもので、コンテナ内の上部にユニット載置空間が、その下部に育成材充填空間が形成され、前記ユニット載置空間に載置されるユニット材を支持する複数の柱状部材が底板に立設され、底板から下方へ脚部が形成されているものであり、前記植物栽培コンテナが貯水槽トレー上に載置される構成が開示されている。
【０００８】
【特許文献１】特開２００２−４４８２号
【特許文献２】特開平１１−２８９８７６号
【特許文献３】特開平１０−９８９５０号
【特許文献４】特開２００１−５７８１７号
【特許文献５】実開昭６１−２０１４０号
【特許文献６】特開２００１−７８５８２号
【０００９】
【発明が解決しようとする課題】
ところで、特許文献１〜３の技術は植栽部へ負荷される踏圧等の外力を支持する面では有効であるが、植物を植栽するパレット等の植栽部へ水分を貯水して供給する構成がないため、頻繁に潅水する必要が生じ、水道費が高額化し不経済になるという不具合がある。更に、植物に水分を供給する必要がある時は長期間降雨がない場合が多いが、長期間降雨がない時には給水制限が行われることもあり、その場合には潅水を行えず植物を枯らしてしまうことになる。更に、植栽部の土が雨水を保水することにだけで雨水を利用しているので、雨水を有効利用しているとは言い難い。
【００１０】
そのため、特許文献３、４の技術のように、貯水部で貯水した水分を植栽部に供給する緑化体を敷設し、屋上等に緑化エリアを形成することが行われているが、他方に於いて、特許文献３、４の技術は貯水部を設けて前記不具合を解消するという点では良いものの、植栽部へ外力が負荷される場合、例えば植栽部内に人が立ち入って踏圧が加えられた場合に、踏圧等の外力で土壌が固化し、植物の根がダメージを受けてしまう。
【００１１】
そして、特許文献１〜５の技術が有する不具合をある程度解消できるものとして、植栽部の下方に貯水部を有し、植栽部へ負荷される外力を支持する特許文献６の植物栽培コンテナ及び貯水槽トレーがあるが、前記植物栽培コンテナは、底板から下方に突出する脚部が柱状部材の下端と無関係な位置に存在し、上方から負荷される外力を柱状部材を介して植物栽培コンテナの底板のみで受けることになるため、植物栽培コンテナ内を人が歩いた場合に底板が下に撓み、踏感覚が悪くなると共に、支持強度や安定性に劣るという不具合がある。特に、貯水槽トレーの貯水量を多くするため、貯水槽トレーの側壁や植物栽培コンテナの脚部を高く形成する場合等に、前記不具合は一層顕著になる。
【００１２】
本発明は上記不具合を解消するものであって、上部に植栽部、その下部に貯水部を有する緑化体に於いて、植栽部へ負荷される外力を確実に敷設面で支持することが可能であり、支持強度や安定性に優れ、又、良好な踏感覚が得られる緑化体を提供することを目的とする。
【００１３】
【課題を解決するための手段】
本発明の緑化体は、植物を栽培可能な植栽部が貯水部上に設けられ、敷設面に敷設して緑化エリアを形成可能な緑化体において、該植栽部へ負荷される外力を直接受ける箇所から該貯水部の底面若しくは該敷設面まで略一連で設けられる柱状部材を有し、該外力を該柱状部材を介して該敷設面で受けることを特徴とする。例えば貯水可能な空間を有する貯水部と、貯水部上に載置され、植物を栽培可能な植栽部とを有する緑化体に、植栽部の上面近傍から敷設面等まで略一連となる柱状部材を設け、或いは植栽部の上面近傍から敷設面等まで略垂設される柱状部材を設け、植栽部への外力を該柱状部材を介して敷設面で支持する。尚、本発明には、植栽部と貯水部が別体で着脱可能なものの他、植栽部と貯水部が一体的に設けられるものも含まれる。
【００１４】
さらに、本発明の緑化体は、前記略一連の柱状部材を、前記植栽部の底面から上方へ設けられる第１柱状部材と、該植栽部の底面から下方へ設けられる第２柱状部材により構成することを特徴とし、植栽部へ負荷される外力を第１柱状部材、第２柱状部材を介して敷設面で支持する。更には、前記貯水部の底面近傍と前記第２柱状部材の下端近傍を係止する係止構造を設けると好適である。
【００１５】
また、本発明の緑化体は、前記略一連の柱状部材を、前記貯水部の底面から前記外力を直接受ける箇所まで上方へ立設して構成することを特徴とし、植栽部へ負荷される外力を前記柱状部材を介して敷設面で支持する。前記柱状部材は、例えば貯水部の底面から上方に立設し、植栽部の上端近傍まで延設する。
【００１６】
また、本発明の緑化体は、前記略一連の柱状部材を、前記植栽部の底面から上方へ立設する第１柱状部材と、前記貯水部の底面から上方へ立設する第２柱状部材により構成することを特徴とし、植栽部へ負荷される外力を第１柱状部材、第２柱状部材を介して敷設面で支持する。更には、前記植栽部の底面近傍と前記第２柱状部材の上端近傍を係止する係止構造を設けると好適である。
【００１７】
さらに、本発明の緑化体は、前記略一連の柱状部材若しくは前記第１柱状部材若しくは前記第２柱状部材が中空部を有しないことを特徴とする。
【００１８】
尚、本発明には、側壁と底面を有する略箱形で、その底面から上方へ柱状部材が設けられ、柱状部材の上端が前記側壁の上端より低く形成されている植栽部であって、少なくとも、前記側壁の前記柱状部材の上端よりも高い位置の部分が可撓性である若しくは薄肉で形成されているものも含まれる。
【００１９】
【作用】
本発明の緑化体或いは前記緑化体を１若しくは複数敷設面に敷設した緑化設備は、植栽部へ負荷される外力を直接受ける箇所から貯水部の底面若しくは敷設面まで略一連の柱状部材を介し、前記外力を確実に敷設面で受ける或いは支持することが可能である。従って、支持強度が高く、安定性に優れ、又、良好な踏感覚が得られる。例えば植栽部が上面が開口した箱形のコンテナである場合に、前記略一連の柱状部材により、外力のうちコンテナ底面で受ける力を減少し、大部分の外力を敷設面で確実に受けることができ、且つコンテナ底面の変形を未然に防止でき、又、外力が負荷されてもコンテナの底面はほとんど撓まないので、非常に良い踏感覚が得られる。
【００２０】
また、略一連の柱状部材を、植栽部の底面から上方へ設ける第１柱状部材と下方へ設ける第２柱状部材で構成することにより、例えば貯水部を単に略箱形の貯水槽とすることができ、貯水部の製造コストを低減することが可能となる。更に、植栽部を貯水部から取り外す場合に取り外し作業が容易となり、緑化体や緑化設備或いは緑化エリアで気分転換による配置換え等が容易に行える。又、貯水部の底面近傍に第２柱状部材の下端近傍或いは下端を係止する係止部を設けると、第２柱状部材或いは植栽部と貯水部との位置決めを容易且つ確実の行うことができる。
【００２１】
また、別例として、略一連の柱状部材を貯水部の底面から外力を直接受ける箇所まで上方へ立設して構成することにより、例えば植栽部に上面開口の略箱形で底面に柱状部材の挿通孔を穿設した簡単な構造のコンテナを用いることができ、植栽部の製造コストを低減することが可能となる。更に、また、貯水部に直接柱状部材を設けるため、より強固に安定して植栽部への外力を支持することができる。
【００２２】
また、別例として、略一連の柱状部材を、植栽部の底面から上方へ立設する第１柱状部材と、貯水部の底面から上方へ立設する第２柱状部材で構成することにより、例えば植栽部と貯水部を基本的に同一構造とし、植栽部のみに後から通水孔を穿設して形成すること等が可能となるので、緑化体の製造コストを低減することが可能となる。更に、植栽部を貯水部から取り外す場合に取り外し作業が容易となり、緑化体や緑化設備或いは緑化エリアで気分転換による配置換え等が容易に行える。又、植栽部の底面近傍に第２柱状部材の上端近傍或いは上端を係止する係止部を設けると、第２柱状部材或いは貯水部と植栽部との位置決めを容易且つ確実の行うことができる。
【００２３】
更に、上記柱状部材を中空部を有しない構造或いは中実構造とすると、柱状部材の強度を強化することができると共に、中空部の存在による無駄な体積を生ずることが無くなる。そして、例えば植栽部内の柱状部材の体積を極力小さくすることにより、植栽部に多量の土壌等の育成材を充填することができ、且つ植物が育ちにくい柱状部材の上面近傍の面積を狭くすることができ、植物を良好に育成することが可能となる。また、例えば貯水部内の柱状部材の体積を極力小さくすることにより、より多くの水分を貯水部内に貯水し、水道費をより節約することができ、且つ雨水をより有効に利用することが可能となる。
【００２４】
【発明の実施の形態】
次に、本発明の実施形態を図面に沿って説明するが、本発明は以下の実施形態に限定されるものではない。以下の実施形態は、貯水部上に植栽部を載置して設け、貯水部の水分を吸水手段で吸水して植栽部に導き、植物を栽培可能とした緑化体に関するものであり、前記緑化体は、好適には屋上、テラス、ベランダなどの人工地盤上に１若しくは複数敷設され、緑化設備或いは緑化エリアが形成される。
【００２５】
図１及び図２は本発明の第１実施形態の緑化体及び緑化設備を示し、図１（ａ）は植栽部と貯水部を分離した状態の緑化体を示す斜視説明図、図１（ｂ）は貯水部上に植栽部を載置した状態の緑化体を示す斜視図、図２は図１の緑化体による緑化設備を示す断面説明図である。
【００２６】
第１実施形態の緑化体１００は、図１及び図２に示すように、植栽部２００と貯水部３００を有し、植栽部２００が貯水部３００上に載置して設けられる。植栽部２００は、側壁２０１と底面２０２を有し、平面視略方形で上面開口の略箱形であり、又、貯水部３００も、側壁３０１と底面３０２を有し、平面視略方形で上面開口の略箱形であり、植栽部２００と貯水部３００は略同一サイズで形成されている。
【００２７】
植栽部２００は、貯水部３００の内部へ余剰水を排出し且つ空気を流通可能な通水兼通気孔（図示省略）が底面２０２に穿設されていると共に、前記通水兼通気孔が穿設された位置以外の位置で底面２０２から平面視略円形或いは略円柱状の第１柱状部材２０３が上方に突出し、側壁２０１の上端よりも僅かに低い位置まで垂設されている。又、第１柱状部材２０３と平面視で同一位置で、平面視略円形或いは略円柱状の第２柱状部材２０４が底面２０２から下方に突出して垂設され、第２柱状部材２０４は、植栽部２００を貯水部３００上に載置した状態で、その下端面が貯水部３００の底面３０２に当接する長さ或いはそれより極僅かに短い略当接する長さに形成されている。
【００２８】
尚、本実施形態の第１柱状部材２０３、第２柱状部材２０４は共に略中実円柱形で、略同一径で形成され、又、第１柱状部材２０３と第２柱状部材２０４は、互いに鉛直方向へ一直線若しくは略一直線となるように、或いは互いの中心軸が一直線若しくは略一直線となるように設けられる。
【００２９】
更に、植栽部２００には、図２に示すように、底面２０２に吸水部材２０５を挿通可能な挿通孔（図示省略）が穿設され、前記挿通孔に挿通される吸水部材２０５の毛細管現象により貯水部３００内の水分３０４が植栽部２００内に導かれ、植栽部２００で良好に植物栽培を行えるようになっている。
【００３０】
貯水部３００には、側面３１の上端に貯水部３００内の余剰水を外部に排出するための凹部３０３が形成され、凹部３０３により貯水部３００内の水分３０４の水面３０５或いは水位が所定高さ（凹部３０３の下端の高さ）以上にならずに、植栽部底面２０２と貯水部３００内の水分３０４の上限水位との間に空気層が常に形成される構成であり、又、前記空気層の空気は、植栽部２００の底面２０２に設けられた上記通水兼通気孔から植栽部２００内に導かれるようになっている。
【００３１】
植栽部２００を貯水部３００上に載置して設けた緑化体１００では、植栽部２００の第２柱状部材２０４の下端が貯水部３００の底面２０２の上面に当接すると共に、植栽部２００の側壁３０１の下端が貯水部３００の側壁３０１の上端に当接し、貯水部３００の凹部３０３と植栽部２００の側壁２０１の下端で形成される開口が排水用開口として機能する。
【００３２】
緑化体１００を用いる際には、例えば図２に示すように、敷設面４００に貯水部３００を敷設し、その貯水部３００上に植栽部２００を載置して設け、更に、植栽部２００内に育成材２０６を充填し、育成材２０６に或いは育成材２０６上に芝生、セダム、コケ類、蔓性植物、木、花など適宜の植物２０７を植栽し、必要な場合には貯水部３００内に水分３０４を入れる。そして、図２に示すように、例えば屋上等の敷設面４００に複数の緑化体１００を敷き詰めて敷設し、緑化設備を構成する。
【００３３】
尚、緑化体１００或いは緑化設備を屋上等に敷設する場合には、軽量の育成材２０６を用いることが好ましく、例えばパーライト、バーミキュウライト、ピートモス、バーク堆肥、チャフコン、木質腐朽有機物、ゼオライト、下水又は浄水場から発生する汚泥、或いは汚泥の焼却灰等を用いることができる。また、これらの内の数種類を選定し、更には根腐れ防止用の硅酸塩白土等を植物２０７の種類、環境等に応じて適宜選定し、これらを保水性、排水性を良好にするためにバランス良く配合したもの、或いはスポンジやヤシガラ等の繊維材等の軽量育成材などを適宜育成材２０６として用いることができる。
【００３４】
また、貯水部３００に、例えば図３のような第２柱状部材２０４の下端を係止する係止部を設けると、植栽部２００や第２柱状部材２０４の位置決め或いは前後左右への移動を規制することができ良好である。例えば図３（ａ）の係止部３０６ａは、第２柱状部材２０４の底面或いは下端面と略相似形で僅かに大きいサイズの円周状等の周状の突条で、底面３０２に設けられる前記周突条の内側に第２柱状部材２０４の下端が嵌合され係止される構成であり、又、図３（ｂ）の係止部３０６ｂは、貯水部底面３０２に例えば４つ（好適には３つ以上）上方に突設される突起で、前記突起は相互間に第２柱状部材２０４の下端を係入可能な位置に配設され、前記突起相互間に第２柱状部材２０４の下端が係入され係止される構成であり、又、図３（ｃ）の係止部３０６ｃは、貯水部底面３０２に設けられる突部で、第２柱状部材２０４の底面に前記突部が入り込む凹部２０４ａが設けられ、前記突部が凹部２４１に嵌合して第２柱状部材２０４の下端を係止する構成であるが、この他にも適宜の係止部或いは係止構造を用いることができる。
【００３５】
また、植栽部２００が貯水部３００上に載置された状態で、植栽部２００の側壁２０１と貯水部３００の側壁３０１が平面視略同一位置或いは同一側面となるように構成すると、側壁２０１、３１の近傍に柱状部材２３、２４が無い場合で、側壁２０１に歩行者の踏圧等の外力が負荷された場合にも、側壁２０１、３１を介して踏圧等の外力を直線的に敷設面４００に導き、前記外力或いはその大部分を敷設面４００で受けることができるので好適である。
【００３６】
上記第１実施形態の緑化体１００或いは緑化設備は、植栽部２００の上方からの踏圧等の外力を、略一直線状の第１柱状部材２０３と第２柱状部材２０４を介し、敷設面４００に接触或いは密接している貯水部底面３０２に直線的に導くことができるので、前記外力の全て若しくは大部分を確実に敷設面４００で支持し、高い支持強度や安定性が得られ、植栽部２００や貯水部３００が破損する可能性も低くなる。また、第１柱状部材２０３と第２柱状部材２０４が平面視略同一位置に存在するので、第１柱状部材２０３へ負荷される外力で第１柱状部材２０３が沈むことや植栽部底面２０２が撓むこと等を防止することができ、踏感覚を良好に保つことができる。
【００３７】
次に、本発明の第２実施形態について上記第１実施形態と異なる箇所の詳細を説明する。図４及び図５は本発明の第２実施形態の緑化体及び緑化設備を示し、図４（ａ）は分離状態の植栽部と貯水部の斜視説明図、図４（ｂ）は緑化体の斜視図、図５は緑化体による緑化設備を示す断面説明図である。
【００３８】
第２実施形態の緑化体１００も、図４及び図５に示すように、植栽部２００が貯水部３００上に載置して設けられるものであるが、植栽部２００には柱状部材が設けられておらず、貯水部３００の底面３０２に上方に突出して複数の平面視略円形或いは略円柱状の柱状部材３０７が垂設され、柱状部材３０７は側壁３０１の上端よりも高く鉛直方向に立設されている。また、植栽部２００の底面２０２には柱状部材３０７の位置と対応する位置に柱状部材３０７の平面視形状と略同形・同サイズの柱状部材挿通穴２０８が穿設されており、植栽部２００を貯水部３００に載置した状態では、柱状部材挿通穴２０８に柱状部材３０７が挿通され柱状部材挿通穴２０８内に柱状部材３０７がそれぞれ位置し、柱状部材３０７の上端が植栽部２００の側壁２０１の上端或いは植栽部２００の上面近傍に位置するようになる。他の構成は第１実施形態と同様である。
【００３９】
上記第２実施形態の緑化体１００或いは前記緑化体１００による緑化設備を使用することにより、上記第１実施形態の効果を奏すると共に、植栽部２００の構造を簡略化することができるので、コストダウンを図ることができる。また、柱状部材３０７が柱状部材挿通孔２８に挿通されることにより、貯水部３００に対する植栽部２００の位置決めを確実に行うことができ、植栽部２００の前後左右方向への移動を未然に防止することができる。
【００４０】
次に、本発明の第３実施形態について上記第１、第２実施形態と異なる箇所の詳細を説明する。図６及び図７は本発明の第３実施形態の緑化体及び緑化設備を示し、図６（ａ）は分離状態の植栽部と貯水部の斜視説明図、同図（ｂ）は緑化体の斜視図、図７は緑化体による緑化設備を示す断面説明図である。
【００４１】
第３実施形態の緑化体１００も、図６及び図７に示すように、植栽部２００が貯水部３００上に載置して設けられるものであるが、植栽部２００は、第１実施形態と同様に、底面２０２から上方に突出し、第１柱状部材２０３が側壁２０１の上端近傍まで鉛直方向に立設されている一方で、底面２０２から下方へは柱状部材が設けられていない。また、貯水部３００の底面３０２から上方に突出し、平面視略円形或いは略円柱状の第２柱状部材３０８が側壁３０１の上端位置まで鉛直方向に立設されており、植栽部２００を貯水部３００上に載置した状態で、第２柱状部材３０８の上端が植栽部２００の底面２０２の下面に当接し、且つ植栽部２００の第１柱状部材２０３の下端と略同一位置に位置するようになっている。他の構成は上記第１、第２実施形態と同一である。第３実施形態の緑化体１００及びその緑化設備を使用することにより、上記第１実施形態と同様の効果が得られる。
【００４２】
以上、本発明の第１〜第３実施形態の緑化体１００や緑化体１００による緑化設備について説明したが、本発明は上記第１〜第３実施形態に限定されるものではなく、様々な拡張及び変形が可能である。
【００４３】
例えば、第１、第２、第３実施形態共に、貯水部３００の底面３０２又は／及び植栽部２００の底面２０２に下方へ突出する脚部を設けるようにしてもよく、特に貯水部３００に脚部を設けると、貯水部３００の底面３０２等を敷設面４００から一定距離離間した状態で維持することができ、排水性が向上することができる等の効果を発揮する。
【００４４】
具体的な構成例として、基本的な構成が第３実施形態の緑化体１００と同様の植栽部２００及び貯水部３００に脚部を設ける第４実施形態の緑化体１００を図８に示す。第４実施形態の緑化体１００には、植栽部２００の底面２０２から下方に突出して平面視略円形或いは略円柱状の脚部２０９が設けられていると共に、貯水部３００の底面３０２からも下方に脚部３０９が設けられ、第１柱状部材２０３、脚部２０９、第２柱状部材３０８、脚部３０９は平面視で同一の対応位置に設けられている。そして、第２柱状部材３０８は、植栽部２００の脚部２０９の突出分、その上端の高さが低く形成され、植栽部２００を貯水部３００に載置した状態で、第２柱状部材３０８の上端面が脚部２０９の下端面に当接する構成である。
【００４５】
上記第４実施形態等の脚部を設ける構成により、敷設面４００と貯水部３００の底面３０２との間に一定の排水空間を形成することができ、緑化エリア全体でも連続した排水空間を形成することが可能になるので、例えば貯水部３００から溢れる余剰水を確実に緑化エリア外に排水することができると共に、緑化設備の高勾配側の緑化体１００の外等に降雨等で水が貯まる或いは留まるなどの不具合を解消することができる。尚、逆に植栽部底面２０２に凹部を設け、貯水部底面３０２から立設する第２柱状部材３０８を前記凹部の深さ分側壁３０１より高く形成し、前記第２柱状部材３０８の上端を前記凹部に嵌めて係止する構造としてもよい。
【００４６】
更に、上記植栽部２００の脚部２０９の下端を第２柱状部材３０８の上端に設ける場合には、脚部２０９の下端と第２柱状部材２０８の上端に係止部或いは係止構造を設ける等、第２柱状部材３０８の上端が植栽部２００の底面２０２や底面２０２の近傍で係止される構成とすると、貯水部３００に対する植栽部２００の位置決めを行うことができ、植栽部２００の前後左右への移動を未然に防止することが可能となるので好適である。
【００４７】
前記係止構造は適宜であるが、例えば図９（ａ）のように、第２柱状部材３０８の上端に、植栽部２００の脚部２０９の底面と略相似形で僅かに大きい凹部３１０を形成し、凹部３１０に植栽部２００の脚部２０９を挿入或いは嵌挿して係止する構成や、図９（ｂ）のように、第２柱状部材３０８の上端面の外周に略所定間隔で３つ以上の突起３１１（図示例は４つの突起３１１）を設け、突起３１１の相互間或いは周設された突起３１１の内側に植栽部２００の脚部２０９を挿入或いは嵌挿して係止する構成や、図９（ｃ）のように、第２柱状部材３０８の上端に突部３１２を設けると共に、植栽部２００の脚部２０９の下端に凹部２１０を形成し、突部３１２を凹部２１０に挿入或いは嵌挿して係止する構成等とすることが可能である。
【００４８】
また、上記実施形態の柱状部材２０３、２０４、３０７、３０８や脚部２０９等の平面視形状は略円形としたが、かかる形状に限定されるものではなく、例えば平面視略四角形や三角形等の多角形、楕円形等の様々な形状とすることが可能で、それぞれ中実とすると好適であり、更には平面視略十字形、Ｌ字形、Ｉ字形等線状のものが好適であり、且つ中実とするとより好適である。
【００４９】
即ち、柱状部材２０３等を線状形状或いは／且つ中空部を設けない中実にすることにより、例えば植栽部２００内の柱状部材２０３、３０７等の場合には、育成材２０６の充填量を増やすことができ、又、育成材２０６による保水量を増加し、植物２０７の根の伸長する空間の体積を増加することが可能となるので、植物２０７をより良好に育成することができる。更に、植物２０７が育ちにくい柱状部材２０３等の頂部若しくは頂面やその近傍の平面面積を小さくする、或いは柱状部材２０３等の頂面を挟む育成材２０６相互間の距離を短くすることができるので、より多くの植物２０７を良好に栽培することができ、又、例えば植物２０７として芝生等の匍匐植物を栽培した場合に、柱状部材２０３等の頂面も良好に匍匐し、柱状部材２０３等の頂面近傍に植物２０７が存在しないため美観を損なうようなことを無くすことができる。又、貯水部３００内の柱状部材３０７、３０８、２０４等を上記形状にする場合には、貯水可能な貯水上限量を増加或いは可能な限り多くすることが可能となり、水道費の節約と雨水の再利用を図ることができる。
【００５０】
又、植栽部２００内の柱状部材２０３等の平面視面積を大きくする或いは／且つ本数を多くすると、植栽部２００内の柱状部材２０３等の相互間の距離を短くすることが可能となり、植栽部２００の柱状部材２０３等の相互間の距離を植栽部２００上部で使用する芝刈り機の車輪など道具等が入り込まない距離にすることができ良好である。又、貯水部３００内の柱状部材３０８等の平面視面積を小さくする或いは／且つ本数を少なくすると、貯水量を増大し、製造コストを削減することができ良好である。又、貯水部３００には、植栽部２００の柱状部材２０３等の全て或いは一部に対応する柱状部材３０８等を敷設面４００や底面３０２まで一連にすれば良いので、植栽部２００内の柱状部材２０３等の平面視面積を大きく或いは／且つ本数を多くし、且つ貯水部３００内の柱状部材３０８等の平面視面積を小さく或いは／且つ本数を少なくする構成にしてもよい。更に、上述の構成を適宜組み合わせたもの等としてもよい。
【００５１】
上記線状形状の柱状部材等の例としては、例えば図１０に示す構造としてもよい。図１０の構造は、第３実施形態の第１柱状部材２０３を平面視略十字形に形成し、第２柱状部材３０８を平面視略十字形で第１柱状部材２０３よりも若干小さいサイズで形成し、植栽部２００の底面２０２に、平面視略円形で下方に突出して設けられ、十字形の第２柱状部材３０８を係止或いは嵌合する溝２１２が形成されている係止突部２１１を有し、第２柱状部材３０８を係止突部２１１の溝２１２に嵌合或いは係合して係止する構成である。尚、前記構造に於いて、図１０（ａ）には係止突部２１１を省略したもの、図１０（ｂ）には第１柱状部材２０３を省略したものを示している。前記構成は、図９の係止構造よりも一層確実に植栽部２００の位置決め効果を発揮することができると共に、例えば植栽部２００のみでも、前記略円形の係止突部２１１が脚部として機能するので充分に使用することができ、敷設面４００と植栽部底面２０２との間に排水空間を充分に形成することが可能である。
【００５２】
また、上記実施形態では複数の柱状部材２０３、２０４、３０７、３０８や脚部２０９等を平面視で所定間隔毎に３行３列で配設する等、平面視で所定間隔毎に行列配置する構成について示したが、例えば千鳥配置で立設する等としてもよく、又、柱状部材２０３等や脚部２０９等を規則的に立設する他、不規則で立設する構成にしてもよい。又、複数の柱状部材２０３等や脚部２０９等の平面視形状や面積を全て同一とせずに、必要に応じて様々な形状や面積の柱状部材２０３等や脚部２０９等の組み合わせとしてもよく、例えば柱状部材２０３等を千鳥配置や、不規則配置や、前記組み合わせ等にすることで、植栽部２００内に芝刈り機等の車輪などが入り込み、方向転換が困難となるような不具合を解消することができる。
【００５３】
また、植栽部２００内の柱状部材と貯水部３００内の柱状部材の平面視形状や平面視面積は同一形状や同一面積としないことも可能であり、例えば第１、第３実施形態の第１柱状部材２０３と第２柱状部材２０４、３０８を異なる平面視形状にしてもよく、様々な形状の組み合わせが可能である。又、立設する柱状部材の本数は、第１柱状部材２０３と第２柱状部材２０４、３０８とで異なる本数にしてもよく、又、脚部２０９等を有する構成で、第１柱状部材２０３、第２柱状部材３０８、脚部２０９を相互に異なる本数、或いは何れかが異なる本数で設けるようにしてもよく、植栽部２００の上端近傍から敷設面４００或いは貯水部底面３０２まで略一連となる柱状部材を少なくとも一部に有し、前記略一連の柱状部材で植栽部２００に負荷される外力を敷設面４００で支持可能な構成であればよい。
【００５４】
更に、前記略一連の柱状部材は、例えば脚部２０９を有する第４実施形態のような場合に、第１柱状部材２０３の下端面に平面視で一部若しくは全て重ならず前記下端面から若干ずれた平面視略同一位置に脚部２０９を設け、前記脚部２０９で第１柱状部材２０３を介して負荷される荷重を支持するようにしてもよい。例えば第１柱状部材２０３の平面視形状と脚部２０９の平面視形状が異なって多少ずれる場合等でも、前記略一連の柱状部材により、植栽部２００に負荷される外力を確実に敷設面４００或い貯水部底面３０２で支持可能な構成であれば本発明に含まれる。
【００５５】
また、植栽部２００の第１柱状部材２０３等の上端面の位置は、上記実施形態のように植栽部２００の側壁２０１の上端よりも僅かに低い位置とせず、植栽部側壁２０１の上端と同一高さの位置、或いは植栽部側壁２０１の上端より高い位置にすることも可能である。又、例えば第３実施形態の変形である図１１の第５実施形態に示すように、第１柱状部材２０３等の上端面の位置を植栽部側壁２０１の上端と同一高さとし、植栽部２００と貯水部３００を同一構成とすると、植栽部２００と貯水部３００を同一工程で製造し、後工程で植栽部２００に対してのみ、吸水棒等の吸水部材２０５の挿通穴と通水兼通気孔を穿設すればよいことになるので、製造工程を簡略化し、コストダウンを図ることができる。尚、前記構成では植栽部２００にも貯水部３００の凹部３０３に相当する凹部２１３が形成されることになるが、緑化体１００を隣接して敷設した際に凹部２１３は隣り合う他の植栽部２００と連通するので、緑化設備からの育成材２０６の流出は防止される。
【００５６】
また、植栽部２００に関し、植栽部２００の第１柱状部材２０３等の上端面の位置を植栽部側壁２０１の上端よりも高い位置にする場合には、植栽部２００上を歩行した際に、植栽部側壁２０１が足裏に当たる等の悪い踏感覚を解消することができる。又、逆に植栽部２００の第１柱状部材２０３等の上端面の位置を植栽部側壁２０１の上端よりも低い位置にする場合には、植栽部側壁２０１が足裏に当たる等の悪い踏感覚を与えてしまうため、植栽部側壁２０１の一部若しくは全部を可撓性を有する材質や部材で形成する、或いは薄肉で形成すると、踏感覚の悪さを解消することができて好適である。尚、植栽部側壁２０１の可撓性を有する材質や部材で形成する部分、或いは薄肉で形成する部分は、第１柱状部材２０３等の上端面若しくはその近傍よりも高い箇所だけとする、或いは植栽部側壁２０１の上端部だけとすると、植栽部２００の強度減少の防止を図れる等の効果があり好適である。更には、植栽部２００の第１柱状部材２０３等の頂部を丸みを帯びた形状、例えばアール形状とすると、より踏感覚が向上して好適である。
【００５７】
また、上記実施形態の緑化体１００の植栽部２００と貯水部３００は、それぞれ上面箱形の容器状で、且つ植栽部２００と貯水部３００が１対１で対応する構成について説明したが、植栽部２００や貯水部３００を容器状とせずに構成とすることも可能であり、又、植栽部２００と貯水部３００が１対１で対応しない緑化体１００とすることも可能である。
【００５８】
例えば図１２（ａ）の第６実施形態のように、２つ若しくは前後方向に２つずつ並んだ４つなど複数の貯水部３００に対し、１つの植栽部２００を対応して設ける緑化体１００や、図１２（ｂ）の第７実施形態のように、１つの貯水部３００に対して複数の植栽部２００を載置して設ける緑化体１００とすると、施工工程を削減することが可能となる。
【００５９】
又、図１２（ｃ）の第８実施形態のように、貯水槽３１３の側壁３１４を高く設け、貯水槽３１３内で底面３０２に立設する第２柱状部材３０８上に、第１柱状部材２０３が立設する平板の仕切板２１４を載置し、底面３０２と側壁３１４の下部で囲まれた貯水部３００上に仕切板２１４と側壁３１４の上部で囲まれた植栽部２００を設ける緑化体１００とすると、植栽部２００の構造を簡略化することができ、より安価に製造することが可能となる。更に、図１２（ｄ）の第９実施形態のように、図１２（ｃ）と同様、側壁３１４が高く設けられている貯水槽３１３を用い、一つの貯水槽３１３に対して第２柱状部材３０８上に複数の仕切板２１４を載置し、貯水部３００上に植栽部２００を設ける緑化体１００とすると、一層安価に製造することが可能となり、且つ施工工程を減らすことができる。
【００６０】
又、図１２（ｅ）の第１０実施形態のように、箱形の貯水部３００の側壁３０１及び第２柱状部材３０８上に仕切板２１４を載置して設け、貯水部３００上に側壁がない植栽部２００を設ける緑化体１００とし、緑化設備で緑化エリアを覆う縁石等５００を植栽部側壁の代わりとすることにより、一層製造コストを削減することができる。更に、図１２（ｆ）の第１１実施形態のように、複数の貯水部３００上に１枚の仕切板２１４を載置して設け、複数の貯水部３００上に１つ或いは一体的な植栽部２００を設ける緑化体１００とすると、よい一層製造コストを削減することができ、且つ施工工程を減らすことが可能となる。尚、第６〜第１１実施形態の組み合わせや、第６〜第１１実施形態と第１〜第５実施形態の適宜を組み合わせとしてもよい。
【００６１】
また、柱状部材２０３、２０４、３０７、３０８や脚部２０９等は、底面２０２、３０２等にそれぞれ一体形成しても、組み付けや接着剤による接着等により別体で設けてもよい。
【００６２】
また、上記実施形態では、貯水効果を最大限発揮するために貯水空間を形成する貯水部３００を用いているが、貯水部３００として、保水材を充填する或いは保水効果のある不織布などを充填する等による保水部や、貯水空間と保水部を有するもの等、適宜のものを用いることが可能である。
【００６３】
また、植栽部２００には植物２０７を植える構成の他、例えば第１柱状部材２０３上に板上の石材、ウッドデッキ等を載置してもよく、特に保水石材を載置すると保水石材からの蒸散効果を発揮できるため、好適である。また、砂利などを充填するだけの構成としてもよい。
【００６４】
【発明の効果】
本発明の緑化体や緑化体による緑化設備を用いることにより、上部に植栽部、その下部に貯水部を有する緑化体においても、植栽部へ負荷される外力を確実に敷設面で支持することが可能となり、優れた支持強度や安定性が得られ、又、良好な踏感覚が得られる効果を奏する。
【００６５】
特に、略一連の柱状部材により、育成材等が充填された植栽部の重量と植栽部への踏圧等の外力による荷重を敷設面で安定且つ確実に支持することができ、柱状部材への負荷による植栽部底面の破損防止や貯水部の破損防止を図ることができると共に、植栽部に載った際に生ずる、植栽部底面などの変形で植栽部上がへこんでいるかのような踏感覚の悪さを無くすことができる。また、柱状部材により、植栽部の育成材の固化防止や、植物の根へのダメージ緩和等を図ることができる。
【図面の簡単な説明】
【図１】（ａ）第１実施形態の緑化体で分離状態の植栽部と貯水部の斜視説明図。
（ｂ）第１実施形態の緑化体の斜視図。
【図２】第１実施形態の緑化体による緑化設備を示す断面説明図。
【図３】（ａ）〜（ｃ）第２柱状部材を係止部で係止する構造例を示す斜視説明図。
【図４】（ａ）第２実施形態の緑化体で分離状態の植栽部と貯水部の斜視説明図。
（ｂ）第２実施形態の緑化体の斜視図。
【図５】第２実施形態の緑化体による緑化設備を示す断面説明図。
【図６】（ａ）第３実施形態の緑化体で分離状態の植栽部と貯水部の斜視説明図。
（ｂ）第３実施形態の緑化体の斜視図。
【図７】第３実施形態の緑化体による緑化設備を示す断面説明図。
【図８】第４実施形態の緑化体による緑化設備を示す断面説明図。
【図９】（ａ）〜（ｃ）脚部を係止する構造例を示す斜視説明図。
【図１０】（ａ）第２柱状部材を係止する他の構造例で、係止突部を省略した斜視説明図。（ｂ）同図（ａ）で第１柱状部材を省略した斜視説明図。
【図１１】（ａ）第５実施形態の緑化体で分離状態の植栽部と貯水部の斜視説明図。
（ｂ）第５実施形態の緑化体の斜視図。
【図１２】（ａ）〜（ｆ）第６〜第１１実施形態の緑化体或いは緑化体及び緑化設備を示す断面説明図。
【符号の説明】
１００  緑化体
２００  植栽部
２０１、３０１、３１４  側壁
２０２、３０２  底面
２０３  第１柱状部材
２０４、３０８  第２柱状部材
２０５  吸水部材
２０６  育成材
２０７  植物
２０８  柱状部材挿通穴
２０９、３０９  脚部
２０４ａ、２１０、２１３、３０３  凹部
２１１  係止凸部
２１２  溝
２１４  仕切板
３００  貯水部
３０５  水面
３０６ａ、３０６ｂ、３０６ｃ  係止部
３０７  柱状部材
３１１  突起
３１２  突部
４００  敷設面
【図１】
2004261016.tif 000003
【図２】
2004261016.tif 000004
【図３】
2004261016.tif 000005
【図４】
2004261016.tif 000006
【図５】
2004261016.tif 000007
【図６】
2004261016.tif 000008
【図７】
2004261016.tif 000009
【図８】
2004261016.tif 000010
【図９】
2004261016.tif 000011
【図１０】
2004261016.tif 000012
【図１１】
2004261016.tif 000013
【図１２】
2004261016.tif 000014